(57)【要約】【課題】複数のチャンネルを持つ照明器具に対してユーザーが聴覚にてチャンネルを認識できるようにする。【解決手段】チャンネルを設定可能な照明装置本体１とチャンネルを指定して操作可能なワイヤレス送信器２とから構成される照明装置において、照明装置本体１のチャンネルごとに異なる発信音を発生させる発音装置６を設けた。送信器２はチャンネル確認用に装置本体１に設定されたすべてのチャンネルで動作可能な制御信号を送信するようにしても良い。また、前記送信器２はチャンネル確認用に装置本体１に設定されたすべてのチャンネルが動作する制御信号をそれぞれ順番に送信するようにしても良い。【選択図】        図１
2004259531.tif 000002
【特許請求の範囲】
【請求項１】
設定されたチャンネルを有し、単数または複数の照明負荷を点灯制御する装置本体と、装置本体のチャンネルを指定するチャンネル信号及び装置本体を制御する制御信号を送信する送信器とから構成される照明装置であって、
前記装置本体は、前記照明負荷を点灯させる点灯回路部と、前記送信器から制御信号を受けて前記点灯回路部を制御する受信部と、前記受信部からの発音信号により音を発生する発音装置とからなり、
前記受信部は、前記送信器からのチャンネル信号および制御信号を受信する受光部と、複数のチャンネルから任意のチャンネルを設定するチャンネル設定部と、前記受光部で受信されたチャンネル信号により指定されるチャンネルが前記チャンネル設定部に設定されているチャンネルに一致するか否かを判別するチャンネル判別部と、前記チャンネル判別部でチャンネルが一致すると判別されたときに前記受光部で受信された送信器の制御信号に応じて前記点灯回路部を制御する制御部とを備え、装置本体の任意のチャンネルごとに異なった発信音を発生するように構成したことを特徴とする照明装置。
【請求項２】
前記送信器はチャンネル確認用に装置本体に設定されたすべてのチャンネルで動作可能な制御信号を送信することを特徴とする請求項１記載の照明装置。
【請求項３】
前記送信器はチャンネル確認用に装置本体に設定されたすべてのチャンネルが動作する制御信号をそれぞれ順番に送信することを特徴とする請求項１記載の照明装置。
【請求項４】
請求項１〜３のいずれかに記載の装置本体を器具本体に設けたことを特徴とする照明器具。
【発明の詳細な説明】
【０００１】
【発明の属する技術分野】
本発明は、制御部の信号により点灯回路部を通じて光源に対する点灯、消灯などの制御を実行する照明装置および照明器具に関するものである。
【０００２】
【従来の技術】
【特許文献１】
特開平７−５７８７６号公報
【０００３】
従来より、天井や壁などに取り付けられた照明器具を赤外線などの無線媒体を用いて遠隔制御するリモートコントロール（以下リモコン）装置が広く用いられている。この種のリモコン式の照明器具において、各種のキー操作に対応して、リモコン信号を受信したことをユーザーに知らせるための１つの方法としてアンサーバック用の発信音を鳴らす装置が広く用いられている。
【０００４】
また、同一室内のリモコン信号の到達可能な範囲内に複数の照明器具が設置されている場合に、一台のリモコン送信器でこれら複数の照明器具を個々に操作するために、照明器具には複数のチャンネルを設定できるものがある。照明器具に異なるチャンネルを割り当てて、ユーザーがリモコン送信器にて操作したい照明器具のチャンネル信号を選択することで、複数の照明器具を個々に操作することができるようにしている。
【０００５】
また、特開平７−５７８７６号公報（特許文献１）によれば、照明器具内の点灯回路ごとに異なったチャンネルが割り当てられており、それぞれ異なったチャンネルの点灯回路を同時に制御することのできる照明器具が提案されている。
【０００６】
【発明が解決しようとする課題】
同一室内に多数の照明器具が設置されるにつれて、個々に照明器具を操作するために設定可能なチャンネルの数が増えてきている。チャンネルの割り当てはユーザーの好みにより任意に設定できるものであるが、照明器具には器具の外側にチャンネル表示をされていないものが多いため、どの照明器具にどのチャンネルを割り当てたのか把握することが困難である。
【０００７】
ユーザーは操作目的の照明器具を操作したくてもその照明器具のチャンネルが不明であっては、ユーザーの手持ちのリモコン送信器のチャンネルを順に変えて操作してみて、操作目的の照明器具を制御できるチャンネルを探索しなければならない。この作業は煩雑であるうえに、チャンネルを順に変えて操作することで操作目的外の照明器具がユーザーの意図に反して操作されてしまい、不快感を与えることになる。
【０００８】
本発明は上記の点に鑑みてなされたもので、その目的とするところは、複数のチャンネルを持つ照明器具に対してユーザーが聴覚にてチャンネルを認識できるようにすることにある。
【０００９】
【課題を解決するための手段】
上記の課題を解決するために、請求項１の発明では、設定されたチャンネルを有し、単数または複数の照明負荷３を点灯制御する装置本体１と、装置本体１のチャンネルを指定するチャンネル信号及び装置本体１を制御する制御信号を送信する送信器２とから構成される照明装置であって、前記装置本体１は、前記照明負荷３を点灯させる点灯回路部４と、前記送信器２から制御信号を受けて前記点灯回路部４を制御する受信部５と、前記受信部５からの発音信号により音を発生する発音装置６とからなり、前記受信部５は、前記送信器２からのチャンネル信号および制御信号を受信する受光部５１と、複数のチャンネルから任意のチャンネルを設定するチャンネル設定部５２と、前記受光部５１で受信されたチャンネル信号により指定されるチャンネルが前記チャンネル設定部５２に設定されているチャンネルに一致するか否かを判別するチャンネル判別部５３と、前記チャンネル判別部５３でチャンネルが一致すると判別されたときに前記受光部５１で受信された送信器２の制御信号に応じて前記点灯回路部４を制御する制御部５４とを備え、装置本体１の任意のチャンネルごとに異なった発信音を発生するように構成したことを特徴とするものである。
【００１０】
請求項２の発明では、前記送信器２はチャンネル確認用に図２に示すように装置本体１ａ、１ｂ、…に設定されたすべてのチャンネルで動作可能な制御信号を送信することを特徴とする。請求項３の発明では、前記送信器２はチャンネル確認用に図３に示すように装置本体１ａ、１ｂ、…に設定されたすべてのチャンネルが動作する制御信号をそれぞれ順番に送信することを特徴とする。請求項４の発明は照明器具に関する発明であり、請求項１〜３のいずれかに記載の装置本体を器具本体に設けたことを特徴とする。器具本体の形状は図２に示すように、天井に直付けされるものであっても良いし、吊り下げタイプであっても良い。
【００１１】
【発明の実施の形態】
（実施の形態１）
本発明の第１の実施の形態の構成を図１に示す。図示された照明装置は、照明装置本体１とワイヤレス送信器２とで構成されている。照明装置本体１は、例えば２重環形蛍光ランプのような照明負荷（光源）３と、商用電源の交流電圧を整流して得た直流電圧をスイッチング素子でスイッチングすることにより高周波に変換して照明負荷３を高周波点灯させる点灯回路部４と、ワイヤレス送信器２から送信された信号を受信すると、ワイヤレス信号により送信された操作信号に応じて調光制御信号または点灯制御信号を発生する受信部５と、受信部５からの発音信号にて発音する発音装置６とで構成される。リモコン送信器２から伝送されるコードはチャンネル要素と照明装置１への操作要素とで定義され、それぞれの要素が違えば、異なるコードとなる。
【００１２】
受信部５は、ワイヤレス送信器２からの光信号を受信する受光部５１と、受信部５のチャンネルを設定しておくチャンネル設定部５２と、チャンネル設定部５２に設定してある受信部５のチャンネルとワイヤレス送信器２からのチャンネルとの一致／不一致を判別する判別部５３と、点灯回路部４にワイヤレス信号により送信された操作信号に応じて調光制御信号や点灯制御信号を発生したり、発音装置６に発音信号を発生する制御部５４とで構成される。
【００１３】
チャンネル設定部５２に設定可能なチャンネルは複数あり、チャンネル設定部５２に設定されたチャンネル毎に異なった発音信号を制御部５４から発音装置６に出力させ、チャンネル毎に異なるメロディを奏でるようにする。ここではチャンネル毎に異なる固有のメロディを割り当てる例を示したが、音色を変化させてもよいし、音の鳴る回数を各チャンネル毎に異なる回数としてもよく、要するにユーザーが聴覚によりチャンネルの違いが認識できればよい。
【００１４】
（実施の形態２）
本発明の第２の実施の形態の構成を図２に示す。照明器具１ａ，１ｂの構成は実施の形態１の照明装置本体１と同じであり、ワイヤレス送信器２の構成は実施の形態１のワイヤレス送信器２と同じである。本実施の形態では、送信器２の信号にチャンネル確認用信号として、照明器具に設定可能な全チャンネルが動作し、発音操作をする伝送コードを設ける。照明器具がどのチャンネルに設定されていても、ユーザーは照明器具のチャンネルを容易に認識可能である。ここでは、チャンネル設定部５２に設定可能なチャンネルは８つあり、各チャンネルに対して異なったそれぞれＡ音〜Ｈ音のメロディを発音するように割り当てたものである。チャンネル確認用としてワイヤレス送信器２から器具１ａ、１ｂ、…に設定された全チャンネルが同時に制御可能な操作信号を送信する。照明器具１ａにチャンネル：ＣＨ３が設定されているとＣ音が、照明器具１ｂにチャンネル：ＣＨ６が設定されているとＦ音が発音することで各器具１ａ、１ｂ、…に設定されたチャンネルが認識し易くなる。
【００１５】
（実施の形態３）
本発明の第３の実施の形態の動作を図３に示す。本実施の形態の構成は図１に示した実施の形態１の構成と同じであり、図３はワイヤレス送信器２の操作信号と発音装置６の発音のタイムチャートを示している。本実施の形態では、送信器２の信号にチャンネル確認用信号として、照明器具に設定可能な全チャンネルを順番に送信し、発音操作をする伝送コードを設ける。照明器具が送信器から送信されるチャンネルに一致したときに発音し、その発音によってどのチャンネルが設定されているのかユーザーは容易に認識可能である。実施の形態２と同様、チャンネル設定部５２に設定可能なチャンネルは８つあり、各チャンネルＣＨ１〜ＣＨ８に対して異なったそれぞれＡ音〜Ｈ音のメロディを発音するよう割り当てたものであり、チャンネル確認信号としてワイヤレス送信器２から各器具に設定された各チャンネルの操作信号をチャンネル：ＣＨ１〜ＣＨ８まで順に送信するものである。このワイヤレス送信器２からの操作信号を感知可能な範囲内に複数台の照明器具が設置されていると、ワイヤレス送信器２からのチャンネルと受信部５のチャンネルとが一致したときに発音する。したがって、実施の形態２のように複数の器具が同時に発音するものではなく、時分割的にそれぞれの器具が異なるタイミングで発音するので、音によってどのチャンネルが設定されているかが認識し易くなる。
【００１６】
【発明の効果】
請求項１の発明によれば、リモコン装置にて遠隔操作を行う照明器具において、多数のチャンネルが設定可能である場合でもユーザーが操作しようとする照明器具がどのチャンネルに設定されているのかを容易に認識することができ、チャンネル間違いによるユーザーの意図に反した照明器具の動作を防ぐことができ、ユーザーの違和感を無くすことができる効果がある。また、請求項２の発明によれば、複数の照明器具を同時に発音させることで、同時に複数の照明器具のチャンネルを確認できる効果がある。また、請求項３の発明によれば、個々の照明器具の発音するタイミングをずらすことで個々の照明器具のチャンネルを個別に確認できる効果がある。
【図面の簡単な説明】
【図１】本発明の実施の形態１の概略構成図である。
【図２】本発明の実施の形態２の概略構成図である。
【図３】本発明の実施の形態３の動作説明のためのタイムチャートである。
【符号の説明】
１    照明装置本体
２    ワイヤレス送信器
３    照明負荷（光源）
４    点灯回路部
５    受信部
６    発音装置
５１  受光部
５２  チャンネル設定部
５３  判別部
５４  制御部
【図１】
2004259531.tif 000003
【図２】
2004259531.tif 000004
【図３】
2004259531.tif 000005